(57)【要約】【課題】ＴＳパケットのエラー発生状況を確実に監視可能なデータ監視システムを提供する。【解決手段】ＴＳパケットに含まれるエラーの発生状況がＴＳパケット監視装置によって検出され、各ボタン（指定時刻選択ボタン１６０、現在時刻選択ボタン１６１、広域画面の期間設定ボタン１７１）で設定された所定期間（例えば、２時間、２日間、２ヶ月間、１年間など）のエラーの発生状況（発生回数）が時系列の棒グラフで広域表示エリア１５８に一覧表示される。そのため、デジタル放送の送信システムまたは受信システムの運用管理者は、広域表示エリア１５８を一目するだけで所定期間のエラーの発生状況を確認可能であり、多量に発生するＴＳパケットのエラーを確実に監視することができる。【選択図】  図７
2006013612.tif 000002
【特許請求の範囲】
【請求項１】
時系列で転送されるデータ中に含まれるエラーの発生状況を検出するエラー検出手段と、
そのエラー検出手段が検出した所定期間のエラーの発生状況を時系列で一覧表示するエラー表示手段と
を備えたことを特徴とするデータ監視システム。
【請求項２】
請求項１に記載のデータ監視システムにおいて、
前記所定期間は、任意の日時を中心とする前後の所定期間であることを特徴とするデータ監視システム。
【請求項３】
請求項１に記載のデータ監視システムにおいて、
前記所定期間は、現在時刻から過去の所定期間であることを特徴とするデータ監視システム。
【請求項４】
請求項１〜３のいずれか１項に記載のデータ監視システムにおいて、
前記エラー表示手段は、
前記所定期間のエラーの発生状況の一覧表示に並べて、
前記所定期間から任意に選択された期間の時間軸を所定拡大率で拡大してエラーの発生状況を一覧表示することを特徴とするデータ監視システム。
【請求項５】
請求項１〜４のいずれか１項に記載のデータ監視システムにおいて、
前記エラー表示手段は、エラーの発生回数を単純に加算した結果をエラーの発生状況として一覧表示することを特徴とするデータ監視システム。
【請求項６】
請求項１〜４のいずれか１項に記載のデータ監視システムにおいて、
前記エラー表示手段は、エラーの発生回数に予め規定しておいた重み付けを行ってから加算した結果をエラーの発生状況として一覧表示することを特徴とするデータ監視システム。
【請求項７】
請求項１〜６のいずれか１項に記載のデータ監視システムにおいて、
前記エラー表示手段は、時間を横軸にすると共に、エラーの発生回数のリニア表示を縦軸にしたグラフによってエラーの発生状況を一覧表示することを特徴とするデータ監視システム。
【請求項８】
請求項１〜６のいずれか１項に記載のデータ監視システムにおいて、
前記エラー表示手段は、時間を横軸にすると共に、エラーの発生回数の疑似対数表示を縦軸にしたグラフによってエラーの発生状況を一覧表示し、
疑似対数表示とは、対数表示にゼロの表示を加えたものであることを特徴とするデータ監視システム。
【請求項９】
請求項１〜８のいずれか１項に記載のデータ監視システムにおいて、
前記データは、ＭＰＥＧ（Moving Picture Experts Group）２におけるＴＳ（Transport Stream）であることを特徴とするデータ監視システム。
【請求項１０】
請求項９に記載のデータ監視システムにおいて、
前記エラーは、タイムアウトエラー、連続性指標エラー、ＰＣＲ（Program Clock Reference）ジッタエラーからなるグループから選択された少なくとも１つ以上の種類のエラーであり、
タイムアウトエラーは、ＴＳの各パケット毎の受信間隔時間が、予め設定しておいた設定時間しきい値を超えることによって発生するエラーであり、
連続性指標エラーは、ＴＳのパケットのパケットヘッダに含まれている連続性指標が途切れたことによって発生するエラーであり、
ＰＣＲジッターエラーは、ＴＳのパケットのアダプテーションフィールドに含まれているＰＣＲとそのパケットの到達時刻のずれが、予め設定しておいた設定範囲しきい値内に収まらずに発生するエラーであることを特徴とするデータ監視システム。
【請求項１１】
請求項１０に記載のデータ監視システムにおいて、
前記タイムアウトエラーの設定時間しきい値は、監視対象のＴＳにおける任意の期間に含まれるパケットの到達時間間隔測定値の度数分布に基づいて決定されることを特徴とするデータ監視システム。
【請求項１２】
請求項１０に記載のデータ監視システムにおいて、
前記ＰＣＲジッタエラーの設定範囲しきい値は、監視対象のＴＳにおける任意の期間に含まれるパケットのアダプテーションフィールドに含まれているＰＣＲとそのパケットの到達時刻のずれの値の度数分布に基づいて決定されることを特徴とするデータ監視システム。
【請求項１３】
請求項１〜１２のいずれか１項に記載のデータ監視システムにおいて、
前記エラーの発生状況を高速フーリエ変換を用いて周期解析することにより、前記エラーの発生状況の周期性を検出する周期性検出手段を備えたことを特徴とするデータ監視システム。
【請求項１４】
ＭＰＥＧ２におけるＴＳの各チャンネル毎の占有帯域を検出する帯域検出手段と、
その帯域検出手段が検出した所定期間における各チャンネル毎の占有帯域を一覧表示する帯域表示手段と
を備えたことを特徴とするデータ監視システム。
【請求項１５】
請求項１４に記載のデータ監視システムにおいて、
前記帯域表示手段は、時間を横軸にすると共に、各チャンネル毎の占有帯域を縦軸にしたグラフによって時系列で一覧表示することを特徴とするデータ監視システム。
【請求項１６】
請求項１４に記載のデータ監視システムにおいて、
前記帯域表示手段は、任意の日時における各チャンネル毎の占有帯域を一覧表示することを特徴とするデータ監視システム。
【請求項１７】
請求項１〜１６のいずれか１項に記載のデータ監視システムにおける前記各手段としてコンピュータシステムを機能させるためのプログラム。
【請求項１８】
請求項１〜１６のいずれか１項に記載のデータ監視システムにおける前記各手段としてコンピュータシステムを機能させるためのプログラムが記録されたコンピュータで読み取り可能な記録媒体。
【請求項１９】
請求項１〜１６のいずれか１項に記載のデータ監視システムにおける前記表示手段で用いられ、階層構造をとる複数の指定条件を設定して所定表示を行うＧＵＩ（Graphical User Interface）を用いた表示操作方法であって、
前記指定条件の設定順序を階層構造の上下関係によらず任意に設定することを特徴とする表示操作方法。
【請求項２０】
請求項１９に記載の表示操作方法において、
前記指定条件を表示する表示手段を備え、
前記指定条件は、
前記表示手段における表示位置を指定するための第１指定条件と、
前記表示手段における表示方法を指定するための第２指定条件と、
前記表示手段における表示内容を指定するための第３指定条件と
を含み、
前記第１指定条件は前記第２指定条件の上位階層であり、前記第２指定条件は前記第３指定条件の上位階層であり、
前記第１指定条件で指定された前記表示手段の表示位置に、前記第２指定条件で指定された表示方法により、前記第３指定条件で指定された表示内容が表示されることを特徴とする表示操作方法。
【発明の詳細な説明】
【技術分野】
【０００１】
本発明はデータ監視システム、プログラム、記録媒体、表示操作方法に係り、詳しくは、時系列で転送されるデータを監視するシステム、そのデータ監視システムを実現するようにコンピュータシステムを機能させるためのプログラム、そのプログラムが記録されたコンピュータで読み取り可能な記録媒体、前記データ監視システムに用いられる表示操作方法に関するものである。
【背景技術】
【０００２】
近年、ＢＳ（Broadcasting Satellite ）デジタル放送やＣＳ（Communication Satellite）デジタル放送などの衛星デジタル放送、地上波デジタル放送、ＣＡＴＶ（CAble TeleVision）などの放送メディアにおいて、ＭＰＥＧ（Moving Picture Experts Group）２による圧縮符号化技術を用いたデジタル放送のサービスが提供されている。
【０００３】
ＭＰＥＧ２を用いた圧縮符号化システムであるＭＰＥＧ２システムでは、オーディオデータ（音声情報）およびビデオデータ（映像情報）を圧縮符号化したデータのビットストリームであるＥＳ（Elementaly Stream）を生成し、オーディオデータのＥＳ（オーディオＥＳ）とビデオデータのＥＳ（ビデオＥＳ）とを多重化してＰＳ（Program Stream）またはＴＳ（Transport Stream）を生成する。
【０００４】
ここで、ＥＳを、意味のある単位（ビデオデータならフレーム単位、オーディオデータならブロック単位）毎にパケット化したものはＰＥＳ（Packetized Elementary Stream）と呼ばれる。ＰＥＳには時刻情報が含まれており、この時刻情報を用いてビデオデータとオーディオデータの同期を取ることができる。
ＰＳは、ＰＥＳを単に並べてヘッダをつけただけの多重信号形式であり、誤りの発生しない環境におけるデータの伝送・蓄積への適用が想定されて規格化されており、冗長度を小さくすることが可能なため、ＤＶＤなどの強力な誤り訂正符号を用いた蓄積メディアで使用される。
ＴＳは、１つビットストリームの中に複数のプログラムを構成することができるため、放送メディアや通信メディアなどデータの伝送誤りが発生するメディアへの適用が想定されて規格化されており、冗長度はＰＳよりも大きくなっている。
尚、ＰＳとＴＳは相互に変換することができる。
【０００５】
１つのＴＳは、数十〜数百種類のＴＳパケットが集まって構成される。ＴＳパケットは１８８バイトまたは２０４バイトの固定長パケットであり、その長さはＡＴＭ（Asynchronous Transfer Mode）セル長との整合性およびリードソロモン符号などの誤り訂正符号化を行なう場合の適用性を考慮して決定されている。
【０００６】
ＴＳパケットは、４バイト固定長のパケットヘッダと可変長のアダプテーションフィールド（adaptation field）およびペイロード（payload）から構成されている。アダプテーションフィールドとペイロードはどちらかだけが存在する場合と両方が存在する場合があり、その有無はパケットヘッダ内のフラグ（adaptation field control）により示される。
【０００７】
パケットヘッダには、ＴＳパケットの種類を識別するための識別子であるＰＩＤ（Packet IDentification）、同期バイト、連続性指標（Continuity Counter）などの各種パケット制御データが含まれている。
アダプテーションフィールドには、送信側と受信側の間で同期を取るための基準時刻情報（ＰＣＲ：Program Clock Reference）と、圧縮符号化されたビデオデータまたはオーディオデータとが含まれている。
【０００８】
同期バイトはＴＳパケットの開始を示すデータである。
ＰＩＤは、ＴＳパケットに含まれている情報の内容（チャンネル番号や、そのチャンネルのビデオデータおよびオーディオデータのうちいずれが含まれているか等）を示すデータである。
尚、同一のビデオデータ、同一のオーディオデータはそれぞれ同じＰＩＤを持つため、ＴＳの受信システムはＰＩＤを用いて元のＰＥＳに戻すことが可能である。
【０００９】
そして、放送局，中継局，ＣＡＴＶ局などに設置されている送信システムは、このように生成した複数チャンネル分のＴＳパケットを時分割多重化することによりＴＳパケットのデータ列であるＴＳを生成し、そのＴＳを所定の変調方式で変調することにより送信信号を生成し、その送信信号を伝送手段へ送信するため、複数チャンネル分のテレビジョン番組を同時に放送することができる。
尚、送信信号の伝送手段は、例えば、衛星デジタル放送の場合は放送衛星、地上波デジタル放送の場合は受信装置のアンテナ、ＣＡＴＶの場合は専用通信回線である。
【００１０】
また、デジタル放送を受信する受信システムは、放送局，中継局，ＣＡＴＶ局などから送信されてくる送信信号を受信し、その受信した送信信号を所定の復調方式で復調することによりＴＳを生成する。
そして、受信システムは、ＴＳに含まれる複数チャンネル分のＴＳパケットのうちユーザの所望するチャンネルのＴＳパケットを選択して復号化することによりビデオデータおよびオーディオデータを生成し、それらデータをテレビジョン受像機に出力して再生させる。
【００１１】
このようなＭＰＥＧ２によるデジタル放送では、送信システムまたは受信システムにて生成した個々のＴＳパケットについて、複数種類のエラーの発生状況（発生状態）を監視する必要がある。
なぜなら、正常な放送を実現するには、ＴＳパケットのエラーの発生状況に基づいてエラーの発生原因を調査し、次回からは当該エラーが発生しないよう防止策を講じなければならないからである。
【００１２】
ちなみに、ＴＳパケットのエラー発生原因としては、例えば、送信システムまたは受信システムを構成する各種機器の不調、各種機器に供給される電源の不調、テレビジョン番組のスケジューリングの不備、放送の休止タイミングの不具合、天候による電波障害（降雨減衰や雷障害など）などがある。
【００１３】
しかし、１つのＴＳは数十〜数百種類のＴＳパケットによって構成されているため、個々のＴＳパケットについて複数種類のエラーの発生状況を監視するとなると、監視対象のエラーの種類は延べ数千〜数万種類にも上り、その監視を人間系で行うことは不可能である。
そこで、本出願人（株式会社トラフィック・シム）は、ＰＩＤで識別されるＴＳパケットの受信間隔時間や、連続性指標の途切れなどに基づいてエラー発生を監視するＴＳパケット監視装置を開発販売している（商品名「TS302／TS Watch'n LV」）。このＴＳパケット監視装置は、既に国内大手デジタル衛星放送局で実際に使用されて放送サービスの品質向上に貢献している。
【００１４】
また、所定単位の複数のデータを並べて生成されたデータ列が所定の記録媒体に記録される際に、当該データ列を構成する各上記データにそれぞれ構成状態を表す時間情報を付加する時間情報付加手段と、上記記録媒体に各上記データ及び各上記時間情報が記録された後、当該記録媒体から各上記データと共に再生された各上記時間情報のうち時間軸に沿って順次隣り合う２つの各上記時間情報同士の差分値を算出する差分値算出手段と、上記差分値の算出結果に基づいて、上記時間情報の付加された上記データにエラーが生じているか否かを検出するエラー検出手段とを具えることを特徴とするエラー検出装置が提案されている（特許文献１参照）。
【特許文献１】特開２００３ー８７７３４号公報（第２〜１２頁  図１〜図７）
【発明の開示】
【発明が解決しようとする課題】
【００１５】
本出願人が開発販売している従来のＴＳパケット監視装置は、エラーの発生状況を発生時間順に文字情報（エラーログ）によってモニタ画面に表示する機能と、複数種類のエラーの発生状況をまとめてモニタ画面上のインジケータランプで表示する機能とを備えている。
しかし、これらの機能は、現時点または現時点の直近のエラー発生状況しかモニタ画面に表示できない。
【００１６】
ＴＳパケット監視装置のモニタ画面は、放送事業の現場の運用管理者（オペレータ）が目視確認しているが、運用管理者は他の業務を兼務していることが多い。そのため、運用管理者がモニタ画面から目を離した隙に発生したＴＳパケットのエラーを見逃したり、エラー発生を確認して当該エラーに気をとられている間に別のエラーが発生する、といった具合に、多量に発生するＴＳパケットのエラーを十分に監視することが困難であった。
【００１７】
また、特許文献１の技術は、記録媒体から再生したデータに対するエラー検出処理を行うものである。そして、特許文献１には、多量に発生するＴＳパケットのエラーを監視することについて全く記載されていない。
【００１８】
本発明は上記問題を解決するためになされたものであって、以下の目的を有するものである。
（１）時系列で転送されるデータ中に含まれるエラーの発生状況を確実に監視可能なデータ監視システムを提供する。
（２）ＴＳの各チャンネル毎の占有帯域を確実に監視可能なデータ監視システムを提供する。
【００１９】
（３）前記（１）または（２）のデータ監視システムを実現するようにコンピュータシステムを機能させるためのプログラムを提供する。
（４）前記（１）または（２）のデータ監視システムを実現するようにコンピュータシステムを機能させるためのプログラムが記録されたコンピュータで読み取り可能な記録媒体を提供する。
（５）前記（１）または（２）のデータ監視システムで用いられ、階層構造をとる複数の指定条件を設定して所定表示を行うＧＵＩ（Graphical User Interface）を用いた表示操作方法について、指定条件を再設定する際のＧＵＩによる操作の作業効率を向上させることが可能な表示操作方法を提供する。
【課題を解決するための手段】
【００２０】
請求項１に記載の発明は、時系列で転送されるデータ中に含まれるエラーの発生状況を検出するエラー検出手段と、そのエラー検出手段が検出した所定期間のエラーの発生状況を時系列で一覧表示するエラー表示手段とを備えたエラー監視システムを技術的特徴とする。
【００２１】
請求項２に記載の発明は、請求項１に記載のデータ監視システムにおいて、前記所定期間は、任意の日時を中心とする前後の所定期間であることを技術的特徴とする。
【００２２】
請求項３に記載の発明は、請求項１に記載のデータ監視システムにおいて、前記所定期間は、現在時刻から過去の所定期間であることを技術的特徴とする。
【００２３】
請求項４に記載の発明は、請求項１〜３のいずれか１項に記載のデータ監視システムにおいて、前記エラー表示手段は、前記所定期間のエラーの発生状況の一覧表示に並べて、前記所定期間から任意に選択された期間の時間軸を所定拡大率で拡大してエラーの発生状況を一覧表示することを技術的特徴とする。
【００２４】
請求項５に記載の発明は、請求項１〜４のいずれか１項に記載のデータ監視システムにおいて、前記エラー表示手段は、エラーの発生回数を単純に加算した結果をエラーの発生状況として一覧表示することを技術的特徴とする。
【００２５】
請求項６に記載の発明は、請求項１〜４のいずれか１項に記載のデータ監視システムにおいて、前記エラー表示手段は、エラーの発生回数に予め規定しておいた重み付けを行ってから加算した結果をエラーの発生状況として一覧表示することを技術的特徴とする。
【００２６】
請求項７に記載の発明は、請求項１〜６のいずれか１項に記載のデータ監視システムにおいて、前記エラー表示手段は、時間を横軸にすると共に、エラーの発生回数のリニア表示を縦軸にしたグラフによってエラーの発生状況を一覧表示することを技術的特徴とする。
【００２７】
請求項８に記載の発明は、請求項１〜６のいずれか１項に記載のデータ監視システムにおいて、前記エラー表示手段は、時間を横軸にすると共に、エラーの発生回数の疑似対数表示を縦軸にしたグラフによってエラーの発生状況を一覧表示し、疑似対数表示とは、対数表示にゼロの表示を加えたものであることを技術的特徴とする。
【００２８】
請求項９に記載の発明は、請求項１〜８のいずれか１項に記載のデータ監視システムにおいて、前記データは、ＭＰＥＧ２におけるＴＳであることを技術的特徴とする。
【００２９】
請求項１０に記載の発明は、請求項９に記載のデータ監視システムにおいて、前記エラーは、タイムアウトエラー、連続性指標エラー、ＰＣＲジッタエラーからなるグループから選択された少なくとも１つ以上の種類のエラーであり、タイムアウトエラーは、ＴＳの各パケット毎の受信間隔時間が、予め設定しておいた設定時間しきい値を超えることによって発生するエラーであり、連続性指標エラーは、ＴＳのパケットのパケットヘッダに含まれている連続性指標が途切れたことによって発生するエラーであり、ＰＣＲジッターエラーは、ＴＳのパケットのアダプテーションフィールドに含まれているＰＣＲとそのパケットの到達時刻のずれが、予め設定しておいた設定範囲しきい値内に収まらずに発生するエラーであることを技術的特徴とする。
【００３０】
請求項１１に記載の発明は、請求項１０に記載のデータ監視システムにおいて、前記タイムアウトエラーの設定時間しきい値は、監視対象のＴＳにおける任意の期間に含まれるパケットの到達時間間隔測定値の度数分布に基づいて決定されることを技術的特徴とする。
【００３１】
請求項１２に記載の発明は、請求項１０に記載のデータ監視システムにおいて、前記ＰＣＲジッタエラーの設定範囲しきい値は、監視対象のＴＳにおける任意の期間に含まれるパケットのアダプテーションフィールドに含まれているＰＣＲとそのパケットの到達時刻のずれの値の度数分布に基づいて決定されることを技術的特徴とする。
【００３２】
請求項１３に記載の発明は、請求項１〜１２のいずれか１項に記載のデータ監視システムにおいて、前記エラーの発生状況を高速フーリエ変換を用いて周期解析することにより、前記エラーの発生状況の周期性を検出する周期性検出手段を備えたことを技術的特徴とする。
【００３３】
請求項１４に記載の発明は、ＭＰＥＧ２におけるＴＳの各チャンネル毎の占有帯域を検出する帯域検出手段と、その帯域検出手段が検出した所定期間における各チャンネル毎の占有帯域を一覧表示する帯域表示手段とを備えたデータ監視システムを技術的特徴とする。
【００３４】
請求項１５に記載の発明は、請求項１４に記載のデータ監視システムにおいて、前記帯域表示手段は、時間を横軸にすると共に、各チャンネル毎の占有帯域を縦軸にしたグラフによって時系列で一覧表示することを技術的特徴とする。
【００３５】
請求項１６に記載の発明は、請求項１４に記載のデータ監視システムにおいて、前記帯域表示手段は、任意の日時における各チャンネル毎の占有帯域を一覧表示することを技術的特徴とする。
【００３６】
請求項１７に記載の発明は、請求項１〜１６のいずれか１項に記載のデータ監視システムにおける前記各手段としてコンピュータシステムを機能させるためのプログラムを提供するものである。
【００３７】
請求項１８に記載の発明は、請求項１〜１６のいずれか１項に記載のデータ監視システムにおける前記各手段としてコンピュータシステムを機能させるためのプログラムが記録されたコンピュータで読み取り可能な記録媒体を提供するものである。
【００３８】
請求項１９に記載の発明は、請求項１〜１６のいずれか１項に記載のデータ監視システムにおける前記表示手段で用いられ、階層構造をとる複数の指定条件を設定して所定表示を行うＧＵＩを用いた表示操作方法であって、前記指定条件の設定順序を階層構造の上下関係によらず任意に設定することを技術的特徴とする。
【００３９】
請求項２０に記載の発明は、請求項１９に記載の表示操作方法において、前記指定条件を表示する表示手段を備え、前記指定条件は、前記表示手段における表示位置を指定するための第１指定条件と、前記表示手段における表示方法を指定するための第２指定条件と、前記表示手段における表示内容を指定するための第３指定条件とを含み、前記第１指定条件は前記第２指定条件の上位階層であり、前記第２指定条件は前記第３指定条件の上位階層であり、前記第１指定条件で指定された前記表示手段の表示位置に、前記第２指定条件で指定された表示方法により、前記第３指定条件で指定された表示内容が表示されることを技術的特徴とする。
【発明の効果】
【００４０】
（請求項１：後記［１］の記載内容に該当）
請求項１の発明によれば、データ転送の運用管理者は、エラー表示手段の一覧表示を一目するだけで所定期間のエラーの発生状況を確認可能であり、多量に発生するエラーについても確実に監視することができる。
【００４１】
（請求項２：後記［２］の記載内容に該当）
請求項２の発明によれば、運用管理者は所望の日時を中心とする所望の期間におけるエラーの発生状況を確認可能であり、その中心とする日時および前後の期間を適宜設定することで、エラーの発生状況を確実に把握することができる。
【００４２】
（請求項３：後記［３］の記載内容に該当）
請求項３の発明によれば、運用管理者は現在時刻から過去の所望の期間におけるエラーの発生状況を確認可能であり、その過去の期間を適宜設定することで、エラーの発生状況を確実に把握することができる。
【００４３】
（請求項４：後記［４］の記載内容に該当）
請求項４の発明によれば、運用管理者は所望の期間の時間軸を所望の拡大率で拡大してエラーの発生状況を確認可能であり、その期間および拡大率を適宜設定することで、エラーの発生状況を詳細に確認することができる。そして、運用管理者は、並べて表示される２つの一覧表示を見比べることにより、エラーの発生状況を詳細に検討することができる。
【００４４】
（請求項５：後記［５］の記載内容に該当）
請求項５の発明によれば、運用管理者は発生したタイムアウトエラーの回数を単純加算結果を知ることができる。
【００４５】
（請求項６：後記［６］の記載内容に該当）
請求項６の発明によれば、データの特質に合わせた重み付けを行うことにより、その特質に対応した重要なエラーの発生状況を運用管理者が監視しやすくなるため、監視精度を高めることができる。
【００４６】
（請求項７：後記［７］の記載内容に該当）
請求項７の発明によれば、運用管理者は発生したエラーの回数をリニアスケールで目視できる。
【００４７】
（請求項８：後記［８］の記載内容に該当）
請求項８の発明によれば、運用管理者は発生したエラーの回数を疑似対数スケールで目視できる。
例えば、エラーが発生していない状態から１個のエラーが発生することのもつ意味は、１００個のエラーが発生している状態から１０１個目のエラーが発生することのもつ意味に比べて極めて大きい。
つまり、エラーの発生回数が少ない状態では新たに発生したエラーが重要な意味をもつのに対して、エラーの発生回数が多量になるほど新たに発生したエラーのもつ意味は薄れてゆく。
そのため、グラフの縦軸を疑似対数表示にすることで、エラーの発生回数のもつ意味を運用管理者が認識しやすくなるため、監視精度を高めることができる。
【００４８】
（請求項９）
請求項９の発明によれば、ＭＰＥＧ２におけるＴＳに含まれるエラーの発生状況の監視に適用可能であり、請求項１〜８の発明の作用・効果が得られる。
【００４９】
（請求項１０）
請求項１０の発明によれば、タイムアウトエラー、連続性指標エラー、ＰＣＲジッタエラーの監視に適用できる。
【００５０】
（請求項１１：後記［９］の記載内容に該当）
請求項１１の発明によれば、運用管理者は、監視対象のＴＳにおける任意の期間に含まれるパケットの到達時間間隔測定値の度数分布に基づいて、タイムアウトエラーの設定時間しきい値を再設定することが可能になり、タイムアウトエラーの設定時間しきい値の最適化を容易にできる。
【００５１】
（請求項１２：後記［１０］の記載内容に該当）
請求項１２の発明によれば、運用管理者は、監視対象のＴＳにおける任意の期間に含まれるパケットのアダプテーションフィールドに含まれているＰＣＲとそのパケットの到達時刻のずれの値の度数分布に基づいて、ＰＣＲジッタエラーの設定範囲しきい値を再設定することが可能になり、ＰＣＲジッタエラーの設定範囲しきい値の最適化を容易にできる。
【００５２】
（請求項１３：後記［１２］の記載内容に該当）
請求項１３の発明によれば、周期性検出手段にてエラーの発生状況を高速フーリエ変換を用いて周期解析することにより、運用管理者はエラーの周期性を容易に確認できる。
【００５３】
（請求項１４：後記［１３］の記載内容に該当）
請求項１４の発明によれば、運用管理者は、帯域表示手段の一覧表示を一目するだけで所定期間における各チャンネル毎の占有帯域の変化具合を確認可能であり、各チャンネル毎の占有帯域を確実に監視することができる。
【００５４】
（請求項１５：後記［１３］の記載内容に該当）
請求項１５の発明によれば、運用管理者は、各チャンネル毎の占有帯域の時系列の変化具合を監視可能であり、各チャンネル毎の占有帯域を確実に把握することができる。
【００５５】
（請求項１６：後記［１４］の記載内容に該当）
請求項１６の発明によれば、運用管理者は、帯域表示手段の一覧表示を一目するだけで、任意の日時における各チャンネル毎の占有帯域を監視することができる。
【００５６】
（請求項１７、請求項１８）
請求項１７に記載の発明によれば、請求項１〜１５のいずれか１項に記載のデータ監視システムを実現するようにコンピュータシステムを機能させるためのプログラムを提供できる。
また、請求項１８に記載の発明によれば、請求項１６のプログラムが記録されたコンピュータで読み取り可能な記録媒体を提供できる。
【００５７】
このプログラムは、例えば、ＲＯＭやバックアップＲＡＭをコンピュータで読み取り可能な記録媒体として前記プログラムを記録しておき、このＲＯＭまたはバックアップＲＡＭをコンピュータシステムに組み込んで用いることができる。
この他、前記プログラムを、コンピュータで読み取り可能な記録媒体を備えた外部記録装置（外部記憶装置）に記録（記憶）しておき、当該プログラムを必要に応じて外部記録装置からコンピュータシステムにロードして用いるようにしてもよい。
【００５８】
（請求項１９：後記［１５］の記載内容に該当）
請求項１９の発明によれば、第１〜第３指定条件の少なくともいずれかを再設定する際に運用管理者が行うＧＵＩによる操作の作業効率を向上させることができる。
【００５９】
（請求項２０：後記［１５］の記載内容に該当）
請求項２０の発明によれば、任意の指定条件（例えば、第３指定条件）を再設定しながら他の指定条件（例えば、第２指定条件の表示内容）を確認したい場合に、前記任意の指定条件のみを再設定すればよいため、運用管理者の作業効率を大幅に向上させることができる。
【００６０】
（用語の説明）
尚、上述した［課題を解決するための手段］に記載した構成要素と、後述する［発明を実施するための最良の形態］に記載した構成部材との対応関係は以下のようになっている。
【００６１】
「時系列で転送されるデータ」は、ＴＳまたはＴＳパケットに該当する。
「データ監視システム」は、送信システム１０，２０または受信システム３０，４０に該当する。
「エラー検出手段」「帯域検出手段」「周期性検出手段」は、ＴＳパケット監視装置１８に該当する。
請求項１の「エラー表示手段」は、パーソナルコンピュータシステム１９の表示装置８１の表示画面８１ａの表示枠１３０，１４０に表示される図７〜図９，図１４の表示に該当する。
【００６２】
請求項１４の「帯域表示手段」は、パーソナルコンピュータシステム１９の表示装置８１の表示画面８１ａの表示枠１３０，１４０に表示される図１０の表示に該当する。
請求項２０の「表示手段」は、パーソナルコンピュータシステム１９の表示装置８１の表示画面８１ａに表示される図６の表示に該当する。
【発明を実施するための最良の形態】
【００６３】
［実施形態の全体構成］
図１または図２は、本発明を具体化した一実施形態のＴＳパケット監視装置を用いた送信システムの全体概略構成の各例を示すブロック図である。
図１に示す送信システム１０は、多重化器（ＭＵＸ：Multiplexer）１１〜１３、変調装置１４〜１６、混合器１７、ＴＳパケット監視装置１８、パーソナルコンピュータシステム（以下、「パソコン」と略称する）１９から構成され、放送局，中継局，ＣＡＴＶ局などに設置されてＭＰＥＧ２によるデジタル放送を送信する。ちなみに、ＭＵＸはＴＳエンコーダとも呼ばれる。
【００６４】
各ＭＵＸ１１〜１３は、複数チャンネル分のＴＳパケットを時分割多重化することによりＴＳパケットのデータ列であるＴＳを生成する。
すなわち、ＭＵＸ１１は、チャンネル（ＣＨ）１，２，３の３チャンネル分のＴＳパケットのデータＤｉを時分割多重化することにより１つのＴＳ１を生成する。ＭＵＸ１２は、チャンネル（ＣＨ）１０，２０，３０の３チャンネル分のＴＳパケットのデータＤｉを時分割多重化することにより１つのＴＳ２を生成する。ＭＵＸ１３は、チャンネル（ＣＨ）１００，２００，３００の３チャンネル分のＴＳパケットのデータＤｉを時分割多重化することにより１つのＴＳ３を生成する。
尚、各ＭＵＸ１１〜１３に入力されるＴＳパケットの各データＤｉは、デジタルビデオカメラやデジタル録音機から送出されてくるか、または、各種記録媒体の再生装置（例えば、ＨＤＤ（Hard Disk Drive）、ＶＴＲ（Video Tape Recorder）など）から読み出されて送出されてくる。
【００６５】
各変調装置１４〜１６は、ＴＳを所定の変調方式で変調することにより送信信号を生成する。
すなわち、変調装置１４は、ＭＵＸ１１の生成したＴＳ１を変調して送信信号を生成する。変調装置１５は、ＭＵＸ１２の生成したＴＳ２を変調して送信信号を生成する。変調装置１６は、ＭＵＸ１３の生成したＴＳ３を変調して送信信号を生成する。
【００６６】
混合器１７は、各変調装置１４〜１６の生成した送信信号を混合して送信信号Ｄｏを生成し、その送信信号Ｄｏを伝送手段へ送信する。
尚、送信信号Ｄｏの伝送手段は、例えば、衛星デジタル放送の場合は放送衛星、地上波デジタル放送の場合は受信装置のアンテナ、ＣＡＴＶの場合は専用通信回線である。
そのため、送信システム１０によれば、複数チャンネル分のテレビジョン番組を同時に放送することができる。
【００６７】
図１に示す例では、ＭＵＸ１１のチャンネル１のＴＳパケットのデータＤｉの入力側にＴＳパケット監視装置１８が接続されている。そして、ＴＳパケット監視装置１８は、チャンネル１のＴＳパケットのエラー発生状況およびＴＳ１の各チャンネル毎の占有帯域を検出して監視する。
ＴＳパケット監視装置１８にはパソコン１９が接続されている。
送信システム１０の運用管理者は、パソコン１９を用いてＴＳパケット監視装置１８を操作すると共に、パソコン１９のモニタ画面に表示されるＴＳパケット監視装置１８の監視結果を目視確認する。
【００６８】
図２に示す送信システム２０は、送信システム１０と同様に、ＭＵＸ１１〜１３、変調装置１４〜１６、混合器１７、ＴＳパケット監視装置１８、パソコン１９から構成されている。
図２に示す例では、ＭＵＸ１１の出力側にＴＳパケット監視装置１８が接続されている。そして、ＴＳパケット監視装置１８は、ＭＵＸ１１の生成したＴＳ１を構成する各ＴＳパケットのエラー発生状況およびＴＳ１の各チャンネル毎の占有帯域を検出して監視する。
【００６９】
尚、図１または図２に示す例では、ＭＵＸおよび変調装置を３台ずつ設けているが、ＭＵＸおよび変調装置を１台または２台もしくは４台以上設けてもよい。
また、各ＭＵＸ１１〜１３は３チャンネル分のＴＳパケットを時分割多重化しているが、２チャンネル分または４チャンネル分以上のＴＳパケットを時分割多重化するように構成してもよい。
そして、図１に示す例において、ＴＳパケット監視装置１８は各ＭＵＸ１１〜１３の任意のチャンネルの入力側に設けてもよく、ＴＳパケット監視装置１８を複数台設けてもよい。
また、図２に示す例において、ＴＳパケット監視装置１８は任意のＭＵＸ１２，１３の出力側に設けてもよく、ＴＳパケット監視装置１８を複数台設けてもよい。
【００７０】
図３または図４は、本発明を具体化した一実施形態のＴＳパケット監視装置を用いた受信システムの全体概略構成の各例を示すブロック図である。
図３に示す受信システム３０は、分配器３１、復調装置３２〜３４、多重分離器（ＤＭＵＸ：Demultiplexer）３５〜３７、ＴＳパケット監視装置１８、パソコン１９から構成され、放送局，中継局，ＣＡＴＶ局などに設置されてＭＰＥＧ２によるデジタル放送を受信する。尚、放送局に受信システム３０を設置するのは、その放送局が自身の放送を監視するためである。ちなみに、ＤＭＵＸはＴＳデコーダとも呼ばれる。
【００７１】
受信システム３０は、前記伝送手段を介して送信されてくる送信信号Ｄｏを受信する。
分配器３１は、受信した送信信号Ｄｏを分配し、その分配した送信信号を各復調装置３２〜３４へ送出する。
各復調装置３２〜３４は、送信信号を所定の復調方式で復調することによりＴＳ１〜ＴＳ３を生成する。
【００７２】
各ＤＭＵＸ３５〜３７は、時分割多重化されているＴＳを多重分離化することにより複数チャンネル分のＴＳパケットを生成する。
すなわち、ＤＭＵＸ３５は、ＴＳ１を多重分離化することによりチャンネル（ＣＨ）１，２，３の３チャンネル分のＴＳパケットのデータＤｉを生成する。ＤＭＵＸ３６は、ＴＳ２を多重分離化することによりチャンネル（ＣＨ）１０，２０，３０の３チャンネル分のＴＳパケットのデータＤｉを生成する。ＤＭＵＸ３７は、ＴＳ３を多重分離化することによりチャンネル（ＣＨ）１００，２００，３００の３チャンネル分のＴＳパケットのデータＤｉを生成する。
【００７３】
受信システム３０には、復号器（図示略）およびテレビジョン受像機（図示略）が備えられている。
復号器は、各ＤＭＵＸ３５〜３７の生成した各チャンネルのＴＳパケットを復号化することによりビデオデータおよびオーディオデータを生成する。
テレビジョン受像機は、ユーザーの所望するチャンネルのＴＳパケットから生成されたビデオデータおよびオーディオデータを再生する。
【００７４】
図３に示す例では、ＤＭＵＸ３５の入力側にＴＳパケット監視装置１８が接続されている。そして、ＴＳパケット監視装置１８は、復調装置３２の生成したＴＳ１を構成する各ＴＳパケットのエラー発生状況およびＴＳ１の各チャンネル毎の占有帯域を検出して監視する。
【００７５】
図４に示す受信システム４０は、受信システム３０と同様に、分配器３１、復調装置３２〜３４、ＤＭＵＸ３５〜３７、ＴＳパケット監視装置１８、パソコン１９から構成されている。
図４に示す例では、ＤＭＵＸ３５の出力側にＴＳパケット監視装置１８が接続されている。そして、ＴＳパケット監視装置１８は、ＤＭＵＸ３５の生成したチャンネル（ＣＨ）１のＴＳパケットのエラー発生状況およびＴＳ１の各チャンネル毎の占有帯域を検出して監視する。
【００７６】
尚、図３または図４に示す例では、復調装置およびＤＭＵＸを３台ずつ設けているが、復調装置およびＤＭＵＸを１台または２台もしくは４台以上設けてもよい。
また、各ＤＭＵＸ３５〜３７は３チャンネル分のＴＳパケットを多重分離化しているが、２チャンネル分または４チャンネル分以上のＴＳパケットを多重分離化するように構成してもよい。
そして、図３に示す例において、ＴＳパケット監視装置１８は任意のＤＭＵＸ３６，３７の入力側に設けてもよく、ＴＳパケット監視装置１８を複数台設けてもよい。
また、図４に示す例において、ＴＳパケット監視装置１８は各ＤＭＵＸ３５〜３７の任意のチャンネルの出力側に設けてもよく、ＴＳパケット監視装置１８を複数台設けてもよい。
【００７７】
図５は、ＴＳパケット監視装置１８およびパソコン１９の内部概略構成を示すブロック図である。
ＴＳパケット監視装置１８は、中央演算処理装置（ＣＰＵ）６１，読み取り専用の記憶装置（ＲＯＭ）６２，読み書き可能な記憶装置（ＲＡＭ）６３，入出力装置（Ｉ／Ｏ）６４などを備えた周知のマイクロコンピュータシステム（以下、「マイコン」と略称する）６５を含んで構成されている。
【００７８】
ＴＳパケット監視装置１８は、ＲＯＭ７２に記憶（記録）されているソフトウェアのコンピュータプログラムをＣＰＵ７１にロードし、そのコンピュータプログラムに従って各種演算処理を実行することにより、ＴＳパケットのエラー発生状況およびＴＳの各チャンネル毎の占有帯域をソフトウェアで検出して監視する。
【００７９】
ところで、前記コンピュータプログラムを、マイコン６５に内蔵したＲＯＭ６２ではなく、マイコン６５に内蔵した図示しないバックアップＲＡＭや、コンピュータで読み取り可能な記録媒体を備えた図示しない外部記録装置（外部記憶装置）に記録（記憶）しておき、当該コンピュータプログラムを必要に応じてバックアップＲＡＭや外部記録装置からＣＰＵ６１にロードして用いるようにしてもよい。
【００８０】
ちなみに、コンピュータで読み取り可能な記録媒体には、半導体メモリ（スマートメディア，メモリスティックなど）、ハードディスク、ＦＤ（Floppy Disk）、データカード（ＩＣ（IC：Integrated Circuit）カード，磁気カードなど）、光ディスク（ＣＤ−ＲＯＭ，ＤＶＤなど）、光磁気ディスク（ＭＯなど）、相変化ディスク、磁気テープなどがある。尚、前記記録媒体の具体例の名称には登録商標が含まれる。
【００８１】
パーソナルコンピュータシステム（パソコン）１９は、コンピュータ本体７０、入力装置８０、表示装置８１などから構成されている。
コンピュータ本体７０は、ＣＰＵ７１，ＲＯＭ７２，ＲＡＭ７３，ＨＤＤ７４，Ｉ／Ｏ７５などを備えた周知のマイコンによって構成されている。
入力装置８０は、例えば、キーボードやポインティングデバイスなどから構成されており、各システム１０〜４０の運用管理者からの指示命令をデータ信号に変換し、そのデータ信号をコンピュータ本体７０のＩ／Ｏ７５を介してＣＰＵ７１へ転送する。
表示装置８１は、ＬＣＤ（Liquid Crystal Display）やＣＲＴ（Cathode Ray Tube）などの各種方式のディスプレイから構成されており、コンピュータ本体７０のＩ／Ｏ７５を介して転送されてくるＣＰＵ７１の処理結果を表示画面に表示して運用管理者に通知する。
【００８２】
ＴＳパケット監視装置１８のマイコン６５のＩ／Ｏ６４と、パソコン１９のコンピュータ本体７０のＩ／Ｏ７５とは接続ケーブル８２によって接続されている。
そして、各システム１０〜４０の運用管理者がパソコン１９の入力装置８０を用い、ＴＳパケット監視装置１８を操作するための指示命令をＧＵＩによって入力すると、その指示命令は、入力装置８０→Ｉ／Ｏ７５→ＣＰＵ７１→Ｉ／Ｏ７５→接続ケーブル８２→Ｉ／Ｏ６４→ＣＰＵ６１の経路で転送され、その指示命令に従ってＴＳパケット監視装置１８が操作される。
【００８３】
また、ＴＳパケット監視装置１８が実行したＴＳパケットのエラー発生状況およびＴＳの各チャンネル毎の占有帯域の監視結果は、ＣＰＵ６１→Ｉ／Ｏ６４→接続ケーブル８２→Ｉ／Ｏ７５→ＣＰＵ７１→Ｉ／Ｏ７５→表示装置８１の経路で転送され、ＧＵＩにより表示装置８１の表示画面（モニタ画面）８１ａに表示されて運用管理者に通知される。
つまり、ＴＳパケット監視装置１８の操作用のソフトウェアをパソコン１９のＲＯＭ７２やＨＤＤ７４にインストール（記憶）させておき、そのソフトウェアのコンピュータプログラムに基づいてＣＰＵ７１に各種演算処理を実行させることにより、パソコン１９を用いたＧＵＩによるＴＳパケット監視装置１８の操作が行われる。
【００８４】
［実施形態の動作］
図６は、パソコン１９の表示装置８１の表示画面８１ａの一例を示す正面図である。
表示画面８１ａの左側には、表示枠選択エリア１００、表示方法選択エリア１１０、ＴＳ／チャンネル選択エリア１２０がこの順番で縦方向に並べて配置されている。
表示画面８１ａの中央および右側（各エリア１００〜１２０を除く部分）には、第１表示枠１３０と第２表示枠１４０とが上下に並べて配置されている。
【００８５】
表示枠選択エリア１００には、第１表示枠選択ボタン１０１および第２表示枠選択ボタン１０２が配置されている。
【００８６】
表示方法選択エリア１１０には、各表示枠１３０，１４０に表示する表示方法を選択するための各ボタン１１１〜１１６（ＬＯＧ表示ボタン１１１、インジケータ表示ボタン１１２、ＰＩＤ参照表示ボタン１１３、履歴グラフ表示ボタン１１４、帯域グラフ表示ボタン１１５、設定表示ボタン１１６）が配置されている。
【００８７】
ＴＳ／チャンネル選択エリア１２０には、エラー発生状況の監視対象となるＴＳを選択するためのＴＳ選択ツールボックス１２１と、エラー発生状況の監視対象となるＴＳのチャンネル（ＣＨ）を選択するためのチャンネル選択ツールボックス１２２とが配置されている。
【００８８】
ＴＳ選択ツールボックス１２１には、全てのＴＳを選択するための全ＴＳ選択ボタン１２３と、各ＴＳを個別に選択するためのＴＳ個別選択ボタン１２４と、各ボタン１２３，１２４で選択されたＴＳを表示するための表示部１２５とが配置されている。
図６に示す例では、８個のＴＳ（ＴＳ番号１〜８）を個別に選択するためのＴＳ個別選択ボタン１２４が設けられている。そして、ＴＳ番号７が選択され、表示部１２５にその番号「７」が表示されている。
【００８９】
チャンネル選択ツールボックス１２２には、チャンネル番号を選択するためのテンキー１２６と、現在選択されているチャンネルの前後の番号のチャンネルを選択するための前後選択ボタン１２７と、テンキー１２６または前後選択ボタン１２７で選択されたチャンネル番号を表示するための表示部１２８などが配置されている。
図６に示す例では、チャンネル番号２００が選択され、表示部１２８にその番号「２００」が表示されている。
【００９０】
表示枠選択エリア１００において、運用管理者が第１表示枠選択ボタン１０１をポインティングデバイスのポインタＰで指示選択すると第１表示枠１３０が指定され、第２表示枠選択ボタン１０２をポインタＰで指示選択すると第２表示枠１４０が指定される。
表示方法選択エリア１１０において、運用管理者がポインタＰで指示選択した各ボタン１１１〜１１６に対応する表示方法が指定される。
ＴＳ／チャンネル選択エリア１２０において、運用管理者がポインタＰで指示選択したＴＳ番号およびチャンネル番号について、表示方法選択エリア１１０にて指定された表示方法による表示内容が、表示枠選択エリア１００にて指定された表示枠１３０，１４０に表示される。
【００９１】
ここで、表示方法選択エリア１１０にてログ表示ボタン１１１が指示選択されると、ＴＳパケット監視装置１８が実行したＴＳパケットのエラー発生状況の監視結果が、エラーの発生時間順に文字情報（エラーログ）によって表示される。
また、表示方法選択エリア１１０にてインジケータ表示ボタン１１２が指示選択されると、ＴＳパケット監視装置１８が実行したＴＳパケットのエラー発生状況の監視結果が、インジケータランプで表示される。
尚、各ボタン１１１，１１２に対応する表示方法は、本出願人が開発販売している従来のＴＳパケット監視装置でも表示されるため、ここでは詳細な説明を省略する。
【００９２】
また、表示方法選択エリア１１０にてＰＩＤ参照表示ボタン１１３が指示選択されると、ＴＳに含まれている番組特定情報（ＰＳＩ：Program Specific Information）のうちＰＡＴ（Program Association Table）およびＰＭＴ（Program Map Table）の解析結果から取得されたＰＩＤが表示される。
【００９３】
＜履歴グラフ表示＞
表示方法選択エリア１１０にて履歴グラフ表示ボタン１１４が指示選択されると、ＴＳパケット監視装置１８が実行したＴＳパケットのエラー発生状況の監視結果が、指定された表示枠１３０，１４０にエラー発生状況（発生回数）の時間履歴（時系列）が棒グラフで表示される。
【００９４】
図７〜図９は、表示枠１３０または表示枠１４０に表示されたエラー発生回数の履歴グラフの各例を示す正面図である。
表示枠１３０（１４０）には、表示方法表示エリア１５１、ＴＳ番号表示エリア１５２、チャンネル番号表示エリア１５３、ＴＳ名表示エリア１５４、チャンネル名表示エリア１５５、日時表示エリア１５６、設定エリア１５７、広域表示エリア１５８、ズーム表示エリア１５９、指定時刻選択ボタン１６０、現在時刻選択ボタン１６１、指定枠１６２などが配置されている。
【００９５】
表示方法表示エリア１５１には「履歴グラフ」と表示されている。
図７〜図９に示す例では、ＴＳ／チャンネル選択エリア１２０にてＴＳ番号７が選択されると共にチャンネル番号２００が選択されており、ＴＳ番号表示エリア１５２にはＴＳ番号「７」が表示され、チャンネル番号表示エリア１５３にはチャンネル（ＣＨ）番号「２００」が表示されている。
そして、ＴＳ名表示エリア１５４にはＴＳ番号７のＴＳ名「名古屋１」が表示され、チャンネル名表示エリア１５５にはチャンネル番号２００のチャンネル（ＣＨ）名「お知らせチャンネル１」が表示されている。
【００９６】
運用管理者がポインタＰで指定時刻選択ボタン１６０を指示選択し、任意の日時の時刻を指定すると、日時表示エリア１５６には当該日時が表示される。
また、運用管理者がポインタＰで現在時刻選択ボタン１６１を指示選択すると、日時表示エリア１５６には現在の日時が表示される。
図７および図８に示す例では、指定時刻選択ボタン１６０が指示選択され、任意の日時として「2004年４月１日10:00:00」が指定されて日時表示エリア１５６に表示されている。
図９に示す例では、現在時刻選択ボタン１６１が指示選択され、現在の日時として「2004年５月２日11:00:00」が日時表示エリア１５６に表示されている。
【００９７】
設定エリア１５７には、広域画面の期間設定ボタン１７１、ズーム画面の表示倍率設定ボタン１７２、エラーフィルタ設定ボタン１７３〜１７５、グラフ種類設定ボタン１７６，１７７、縦軸スケール設定ボタン１７８，１７９が配置されている。
【００９８】
運用管理者がポインタＰで広域画面の期間設定ボタン１７１を指示選択し、適宜な期間（例えば、２時間、２日間、２ヶ月間、１年間など）を指定すると、広域表示エリア１５８には当該期間におけるＴＳパケットのエラー発生回数の時間履歴が棒グラフで表示される。
【００９９】
図７および図８に示す例では、広域画面の期間設定ボタン１７１で２時間が指定され、指定時刻選択ボタン１６０で指定された任意の日時「2004年４月１日10:00:00」を中心とする前後１時間（9:00〜11:00）の２時間について、ＴＳパケットのエラー発生回数が５分間を単位間隔とする棒グラフで広域表示エリア１５８に表示されている。
図９に示す例では、広域画面の期間設定ボタン１７１で２ヶ月間が指定され、現在時刻選択ボタン１６１で指定された現在の日時「2004年５月２日11:00:00」の２ヶ月前（３月１日〜５月２日）の期間について、ＴＳパケットのエラー発生回数が１日間を単位間隔とする棒グラフで広域表示エリア１５８に表示されている。
【０１００】
運用管理者がポインタＰで、ズーム画面の表示倍率設定ボタン１７２を指示選択し、適宜な倍率（例えば、４５０％、１２００％など）を指定すると共に、広域表示エリア１５８に表示されている指定枠１６２により広域表示エリア１５８の任意の期間を指定すると、ズーム表示エリア１５９には、広域表示エリア１５８の指定枠１６２で囲まれた部分の表示を前記指定倍率で拡大したＴＳパケットのエラー発生回数の時間履歴が棒グラフが表示される。
【０１０１】
図７および図８に示す例では、ズーム画面の表示倍率設定ボタン１７２で１２００％が指定されると共に、指定枠１６２で9:55〜10:05の１０分間が指定され、その１０分間についてＴＳパケットのエラー発生回数の時間履歴が１５秒間を単位間隔とする棒グラフでズーム表示エリア１５９に表示されている。
図９に示す例では、ズーム画面の表示倍率設定ボタン１７２で４５０％が指定されると共に、指定枠１６２で４月１８日〜５月２日の１５日間が指定され、その１５日間についてＴＳパケットのエラー発生回数の時間履歴が６時間を単位間隔とする棒グラフでズーム表示エリア１５９に表示されている。
【０１０２】
尚、各表示エリア１５８，１５９の縦軸には、その横軸の単位間隔毎におけるエラー発生回数の最大値が表示されている。
例えば、図７に示す例では、ズーム表示エリア１５９の9:55〜10:00の５分間におけるエラー発生回数の最大値「４」が、広域表示エリア１５８の9:55〜10:00の５分間単位間隔におけるエラー発生回数として表示される。また、ズーム表示エリア１５９の10:00〜10:05の５分間におけるエラー発生回数の最大値「２」が、広域表示エリア１５８の10:00〜10:05の５分間単位間隔におけるエラー発生回数として表示される。
【０１０３】
運用管理者がポインタＰで各エラーフィルタ設定ボタン１７３〜１７５の少なくともいずれかを指示選択すると、その指示選択したボタン１７３〜１７５に対応したエラーの種類について、その発生回数の時間履歴が棒グラフで各エリア１５８，１５９に表示される。
ここで、ボタン１７３はタイムアウトエラー、ボタン１７４は連続性指標エラー、ボタン１７５はＰＣＲジッターエラーをそれぞれ指示選択するものである。
【０１０４】
図７および図８に示す例では、各ボタン１７３，１７５が指示選択され、タイムアウトエラーの発生回数とＰＣＲジッターエラーの発生回数とが加算された合計回数の時間履歴が棒グラフで各エリア１５８，１５９に表示されている。
図９に示す例では、全ボタン１７３〜１７５が指示選択され、タイムアウトエラーの発生回数と連続性指標エラーの発生回数とＰＣＲジッターエラーの発生回数とが加算された合計回数の時間履歴が棒グラフで各エリア１５８，１５９に表示されている。
【０１０５】
タイムアウトエラーとは、ＰＩＤで識別されるＰＡＴ，ＰＭＴ，ビデオデータ，オーディオデータなどの各ＴＳパケット毎の受信間隔時間が、運用管理者が予め設定しておいた設定時間しきい値を超えることによって発生するエラーの種類である。つまり、ＴＳパケット監視装置１８は、設定時間しきい値を超えて監視対象のＴＳパケットを検出できない場合にタイムアウトエラーが発生したと判定する。
【０１０６】
連続性指標エラーとは、ＴＳパケットのパケットヘッダに含まれている連続性指標が途切れたことによって発生するエラーの種類である。つまり、ＴＳパケット監視装置１８は、監視対象のＴＳパケットの連続性指標が途切れた場合に連続性指標エラーが発生したと判定する。
【０１０７】
ＰＣＲジッターエラーとは、ＴＳパケットのアダプテーションフィールドに含まれているＰＣＲが、理想的なＰＣＲ値に基づいて運用管理者が予め設定しておいた設定範囲しきい値内に収まらず、理想的なＰＣＲ値から大きくずれることによって発生するエラーの種類である。すなわち、ＰＣＲジッターエラーとは、ＴＳパケットのアダプテーションフィールドに含まれているＰＣＲとそのＴＳパケットの到達時刻のずれが、予め設定しておいた設定範囲しきい値内に収まらずに発生するエラーの種類である。つまり、ＴＳパケット監視装置１８は、ＴＳパケットアダプテーションフィールドに含まれているＰＣＲとそのＴＳパケットの到達時刻のずれが設定範囲しきい値内に収まらなかった場合にＰＣＲジッタエラーが発生したと判定する。
【０１０８】
運用管理者がポインタＰで各グラフ種類設定ボタン１７６，１７７のいずれかを指示選択すると、その指示選択したボタン１７６，１７７に対応した種類の時間履歴が棒グラフで各エリア１５８，１５９に表示される。
ここで、ボタン１７６はグラフ種類としてエラー回数加算を指示選択し、ボタン１７７はグラフ種類としてエラー重み付け加算を指示選択するものである。
【０１０９】
図７および図８に示す例では、ボタン１７６が指示選択され、発生したタイムアウトエラーの回数を単純に加算した結果が各エリア１５８，１５９に表示されている。
図９に示す例では、ボタン１７７が指示選択され、発生したタイムアウトエラーの回数に予め規定しておいた重み付けを行ってから加算した結果が各エリア１５８，１５９に表示されている。
【０１１０】
運用管理者がポインタＰで各縦軸スケール設定ボタン１７８，１７９のいずれかを指示選択すると、その指示選択したボタン１７８，１７９に対応して各エリア１５８，１５９に表示された履歴グラフの縦軸のスケールが変更される。
ここで、ボタン１７８はリニア表示を指示選択し、ボタン１７９は疑似対数表示を指示選択するものである。
【０１１１】
図７および図９に示す例では、ボタン１７８が指示選択され、発生したエラーの回数がリニアスケールで各エリア１５８，１５９の縦軸に表示されている。
図８に示す例では、ボタン１７９が指示選択され、発生したエラーの回数が疑似対数スケールで各エリア１５８，１５９の縦軸に表示されている。
尚、疑似対数表示とは、通常の対数表示にゼロの表示を加えたものである。
【０１１２】
＜帯域グラフ表示＞
表示方法選択エリア１１０にて帯域グラフ表示ボタン１１５が指示選択されると、ＴＳパケット監視装置１８が検出したＴＳの各チャンネル毎の占有帯域が、指定された表示枠１３０，１４０に折れ線グラフで表示される。
【０１１３】
図１０は、表示枠１３０または表示枠１４０に表示されたＴＳ番号７の各チャンネル毎の占有帯域グラフの一例を示す正面図である。
表示枠１３０（１４０）には、表示方法表示エリア２０１、ＴＳ番号表示エリア２０２、ＴＳ名表示エリア２０４、日時表示エリア２０６、広域表示エリア２０８、ズーム表示エリア２０９、指定時刻選択ボタン２１０、現在時刻選択ボタン２１１、指定枠２１２、グラフ説明表示エリア２１３、円グラフ表示エリア２１４、広域画面の期間設定ボタン２２１、ズーム画面の表示倍率設定ボタン２２２などが配置されている。
【０１１４】
表示方法表示エリア２０１には「帯域グラフ」と表示されている。
各エリア２０２〜２０６、各ボタン２１０，２１１，２２１，２２２、指定枠２１２はそれぞれ、図７〜図９に示す履歴グラフの各エリア１５２〜１５６、各ボタン１６１，１６２，１７１，１７２、指定枠１６２と同様の機能を備えている。
【０１１５】
運用管理者がポインタＰで広域画面の期間設定ボタン２２１を指示選択し、適宜な期間（例えば、２時間、２日間、２ヶ月間、１年間など）を指定すると、広域表示エリア２０８には当該期間における指定されたＴＳ番号７の各チャンネル毎の占有帯域が折れ線グラフで表示される。
【０１１６】
図１０に示す例では、広域画面の期間設定ボタン２２１で２時間が指定され、現在時刻選択ボタン２１１で指定された現在の日時「2004年５月２日11:00:00」の２時間前（9:00〜11:00）の期間について、ＴＳ番号７の各チャンネル２００〜２０３およびＰＳＩ／ＳＩの占有帯域が折れ線グラフで広域表示エリア２０８に表示されている。
尚、ＰＳＩ／ＳＩは、番組特定情報（ＰＳＩ)および番組配列情報（ＳＩ：Service Information）である。
【０１１７】
運用管理者がポインタＰで、ズーム画面の表示倍率設定ボタン２２２を指示選択し、適宜な倍率（例えば、４５０％、１２００％など）を指定すると共に、広域表示エリア２０８に表示されている指定枠２１２により広域表示エリア２０８の任意の期間を指定すると、ズーム表示エリア２０９には、広域表示エリア２０８の指定枠２１２で囲まれた部分の表示を前記指定倍率で拡大したＴＳ番号７の各チャンネル毎の占有帯域が折れ線グラフで表示される。
【０１１８】
図１０に示す例では、ズーム画面の表示倍率設定ボタン２２２で１２００％が指定されると共に、指定枠２１２で10:50〜11:00の１０分間が指定され、その１０分間についてＴＳ番号７の各チャンネル毎の占有帯域が折れ線グラフでズーム表示エリア２０９に表示されている。
【０１１９】
円グラフ表示エリア２１４には、日時表示エリア２０６に表示されている日時（2004年５月２日11:00:00）におけるＴＳ番号７の各チャンネル２００〜２０３およびＰＳＩ／ＳＩの占有帯域が円グラフで表示されている。
グラフ説明表示エリア２１３には、各チャンネル２００〜２０３およびＰＳＩ／ＳＩが色分けして表示されている。そして、各エリア２０８，２０９，２１２の各グラフについても、グラフ説明表示エリア２１３の色分けと同色の色分けがされている。
【０１２０】
例えば、グラフ説明表示エリア２１３のチャンネル２００（図示α部分）が赤色で表示されている場合、広域表示エリア２０８のチャンネル２００に対応する折れ線部分（図示β部分）、ズーム表示エリア２０９のチャンネル２００に対応する折れ線部分（図示γ部分）、円グラフ表示エリア２１４のチャンネル２００に対応する扇形部分（図示δ部分）についても赤色で表示されている。
【０１２１】
＜設定表示＞
表示方法選択エリア１１０にて設定表示ボタン１１６が指示選択されると、タイムアウトエラーの設定時間しきい値の設定画面が、指定された表示枠１３０，１４０に表示される。
【０１２２】
図１１は、表示枠１３０または表示枠１４０に表示されたタイムアウトエラーの設定時間しきい値の設定画面の一例を示す正面図である。
表示枠１３０（１４０）には、表示方法表示エリア３０１、ＴＳ番号表示エリア３０２、チャンネル番号表示エリア３０３、ＴＳ名表示エリア３０４、チャンネル名表示エリア３０５、ＰＩＤの表示エリア３０６〜３０８、タイムアウトエラーの設定時間しきい値の表示エリア３０９〜３１１、取得開始時間表示エリア３１２、取得終了時間表示エリア３１３、総サンプリング数表示エリア３１４、受信間隔時間統計表示エリア３１５、現在カーソル位置表示エリア３１６、カーソル３１７、設定対象指定ボタン３１８〜３２０、リセットボタン３２１などが配置されている。
【０１２３】
表示方法表示エリア３０１には「設定」と表示されている。
各エリア３０２〜３０５はそれぞれ、図７〜図９に示す履歴グラフの各エリア１５２〜１５５と同様の機能を備えている。
【０１２４】
表示エリア３０６には、ＴＳに含まれているＰＭＴのＰＩＤ（図１１に示す例では「１００」）が表示される。
表示エリア３０７には、ＴＳのビデオデータに含まれているＰＭＴのＰＩＤ（図１１に示す例では「１０１」）が表示される。
表示エリア３０８には、ＴＳのオーディオデータに含まれているＰＭＴのＰＩＤ（図１１に示す例では「１０２」）が表示される。
【０１２５】
表示エリア３０９には、ＰＭＴについてタイムアウトエラーの設定時間しきい値（図１１に示す例では９５msec）が表示される。
表示エリア３１０には、ビデオデータについてタイムアウトエラーの設定時間しきい値（図１１に示す例では３２msec）が表示される。
表示エリア３１１には、オーディオデータについてタイムアウトエラーの設定時間しきい値（図１１に示す例では１３０msec）が表示される。
【０１２６】
取得開始時間表示エリア３１２には、ＴＳパケットの受信間隔時間の取得（検出）を開始した日時（図１１に示す例では2004年５月２日10:00:00）が表示される。
取得終了時間表示エリア３１３には、ＴＳパケットの受信間隔時間の取得（検出）を終了した日時（図１１に示す例では2004年５月２日10:00:59）が表示される。
総サンプリング数表示エリア３１４には、ＴＳパケットの受信間隔時間の取得開始から取得終了までに取得（サンプリング）されたＴＳパケットのサンプリング個数の合計個数（図１１に示す例では１９８０個）が表示される。
【０１２７】
受信間隔時間統計表示エリア３１５には、ＴＳパケットの受信間隔時間の取得開始から取得終了までに取得された全てのＴＳパケットについて、その受信間隔時間（パケット到達時間）を５msecの単位間隔でグループ化したＴＳパケットの個数が棒グラフで表示される。
図１１に示す例では、受信間隔時間が０以上５msec未満のＴＳパケットが２４０個、受信間隔時間が５msec以上１０msec未満のＴＳパケットが２６０個、受信間隔時間が１０msec以上１５msec未満のＴＳパケットが３１０個ある。
【０１２８】
現在カーソル位置表示エリア３１６には、受信間隔時間統計表示エリア３１５に表示されるカーソル３１７の現在位置（図示ε位置）の時間（図１１に示す例では４７msec）が表示される。
【０１２９】
運用管理者がポインタＰで各設定対象指定ボタン３１８〜３２０のいずれかを指示選択すると、受信間隔時間統計表示エリア３１５には指示選択されたボタン３１８〜３２０に対応するＴＳパケットの棒グラフが表示される。
ここで、設定対象指定ボタン３１８はＰＭＴに対応し、設定対象指定ボタン３１９はビデオデータに対応し、設定対象指定ボタン３２０はオーディオデータに対応している。
【０１３０】
図１１に示す例では、設定対象指定ボタン３１９が指示選択され、受信間隔時間統計表示エリア３１５にはビデオデータのＴＳパケットの棒グラフが表示されている。そして、現在設定されているビデオデータのタイムアウトエラーの設定時間しきい値３２msecが、表示エリア３１０に表示されると共に、カーソル３１７の位置（図示η位置）で表示されている。
この状態で、運用管理者がポインタＰでカーソル３１７の位置を図示η位置から図示ε位置へ移動させ、その図示ε位置に決定すると、現在設定されているビデオデータのタイムアウトエラーの設定時間しきい値は３２msecから４７msecに変更して再設定され、その再設定された設定時間しきい値４７msecが各表示エリア３１０，３１６に表示される。
【０１３１】
［実施形態の作用・効果］
以上詳述した本実施形態によれば、以下の作用・効果を得ることができる。
【０１３２】
［１］
図７〜図９に示すように、ＴＳパケットに含まれるエラーの発生状況がＴＳパケット監視装置１８によって検出され、各ボタン（指定時刻選択ボタン１６０、現在時刻選択ボタン１６１、広域画面の期間設定ボタン１７１）で設定された所定期間（例えば、２時間、２日間、２ヶ月間、１年間など）のエラーの発生状況（発生回数）が時系列の棒グラフで広域表示エリア１５８に一覧表示される。
【０１３３】
従って、本実施形態によれば、各システム１０〜４０の運用管理者は、広域表示エリア１５８を一目するだけで所定期間のエラーの発生状況を確認可能であり、多量に発生するＴＳパケットのエラーを確実に監視することができる。
尚、エラーの発生回数は、監視対象のＴＳパケットについて同一種類のエラーが新たに発生する度にインクリメントされ、そのエラーが解消されて復帰する度にデクリメントされる。
【０１３４】
［２］
図７および図８に示すように、指定時刻選択ボタン１６０で指定された任意の日時（この例では2004年４月１日10:00:00）を中心とし、広域画面の期間設定ボタン１７１で指定された期間（この例では２時間）を前後の所定期間として、この所定期間におけるＴＳパケットのエラー発生回数が５分間を単位間隔とする棒グラフで広域表示エリア１５８に表示される。
従って、本実施形態によれば、運用管理者は所望の日時を中心とする所望の期間におけるエラーの発生状況を確認可能であり、その中心とする日時および前後の期間を適宜設定することで、エラーの発生状況を確実に把握することができる。
【０１３５】
［３］
図９に示すように、現在時刻選択ボタン１６１で指定された現在の日時（この例では2004年５月２日11:00:00）から、広域画面の期間設定ボタン１７１で指定された期間（この例では２ヶ月）を過去の所定期間として、この所定期間におけるＴＳパケットのエラー発生回数が１日間を単位間隔とする棒グラフで広域表示エリア１５８に表示される。
従って、本実施形態によれば、運用管理者は現在の日時から過去の所望の期間におけるエラーの発生状況を確認可能であり、その過去の期間を適宜設定することで、エラーの発生状況を確実に把握することができる。
【０１３６】
［４］
図７および図８に示すように、指定枠１６２で任意に選択された広域表示エリア１５８の期間（この例では9:55〜10:05の１０分間）の時間軸が、ズーム画面の表示倍率設定ボタン１７２で指定された所定拡大率（この例では１２００％）で拡大され、その期間（１０分間）におけるＴＳパケットのエラー発生回数の時間履歴が１５秒間を単位間隔とする棒グラフでズーム表示エリア１５９に表示される。
【０１３７】
また、図９に示すように、指定枠１６２で任意に選択された広域表示エリア１５８の期間（この例では４月１８日〜５月２日の１５日間）の時間軸が、ズーム画面の表示倍率設定ボタン１７２で指定された所定拡大率（この例では４５０％）で拡大され、その期間（１５日間）におけるＴＳパケットのエラー発生回数の時間履歴が６時間を単位間隔とする棒グラフでズーム表示エリア１５９に表示される。
【０１３８】
従って、本実施形態によれば、運用管理者は所望の期間の時間軸を所望の拡大率で拡大してエラーの発生状況を確認可能であり、その期間および拡大率を適宜設定することで、エラーの発生状況を詳細に確認することができる。そして、運用管理者は、並べて表示される広域表示エリア１５８とズーム表示エリア１５９の両方の履歴グラフを見比べることにより、エラーの発生状況を詳細に検討することができる。
【０１３９】
［５］
図７および図８に示すように、グラフ種類設定ボタン１７６が指示選択された場合には、発生したタイムアウトエラーの回数を単純に加算した結果が各エリア１５８，１５９に表示される。
従って、本実施形態によれば、運用管理者は発生したタイムアウトエラーの回数を単純加算結果を知ることができる。
【０１４０】
［６］
図９に示すように、グラフ種類設定ボタン１７７が指示選択された場合には、発生したタイムアウトエラーの回数に予め規定しておいた重み付けを行ってから加算した結果が各エリア１５８，１５９に表示される。
例えば、ＴＳパケット監視装置１８は、ＴＳパケットの受信間隔時間が設定時間の第１しきい値Ｔｋ１を越えた時間幅Ｔａを、運用管理者が予め設定しておいた時間幅Ｔｂで除算し、その除算値Ｔａ／Ｔｂが、運用管理者が予め設定しておいた設定時間の第２しきい値Ｔｋ２を超えた場合にタイムアウトエラーが発生したと判定することにより、タイムアウトエラーの回数に重み付けを行う。
【０１４１】
従って、本実施形態によれば、ＴＳパケットの特質に合わせてタイムアウトエラーの回数に重み付けを行うことにより、その特質に対応した重要なエラーの発生状況を運用管理者が監視しやすくなるため、監視精度を高めることができる。
【０１４２】
［７］
図７および図９に示すように、縦軸スケール設定ボタン１７８が指示選択された場合には、発生したエラーの回数がリニアスケールで各エリア１５８，１５９の縦軸に表示される。
従って、本実施形態によれば、運用管理者は発生したエラーの回数をリニアスケールで目視できる。
【０１４３】
［８］
図８に示すように、縦軸スケール設定ボタン１７９が指示選択された場合には、発生したエラーの回数が疑似対数スケールで各エリア１５８，１５９の縦軸に表示される。
従って、本実施形態によれば、運用管理者は発生したエラーの回数を疑似対数表示で目視できる。尚、疑似対数表示とは、通常の対数表示にゼロの表示を加えたものである。
【０１４４】
例えば、エラーが発生していない状態から１個のエラーが発生することのもつ意味は、１００個のエラーが発生している状態から１０１個目のエラーが発生することのもつ意味に比べて極めて大きい。
つまり、エラーの発生回数が少ない状態では新たに発生したエラーが重要な意味をもつのに対して、エラーの発生回数が多量になるほど新たに発生したエラーのもつ意味は薄れてゆく。
そのため、履歴グラフの縦軸を疑似対数表示にすることで、エラーの発生回数のもつ意味を運用管理者が認識しやすくなるため、監視精度を高めることができる。
【０１４５】
［９］
図１１に示すように、受信間隔時間統計表示エリア３１５には、ＴＳパケットの受信間隔時間の取得開始から取得終了までに取得された全てのＴＳパケットについて、その受信間隔時間を５msecの単位間隔でグループ化したＴＳパケットの個数が棒グラフで表示される。
つまり、受信間隔時間統計表示エリア３１５には、監視対象のＴＳ番号７のＴＳにおける任意の期間（ＴＳパケットの受信間隔時間の取得開始から取得終了まで）に含まれるＴＳパケットの到達時間間隔測定値の度数分布が表示される。
【０１４６】
従って、本実施形態によれば、運用管理者は、受信間隔時間統計表示エリア３１５の表示内容（監視対象のＴＳにおける任意の期間に含まれるＴＳパケットの到達時間間隔測定値の度数分布）に基づいて、カーソル３１７の位置を変更することでタイムアウトエラーの設定時間しきい値を再設定することが可能になり、タイムアウトエラーの設定時間しきい値の最適化を容易にできる。
【０１４７】
［１０］
図１１に示す表示エリア３１５において、ＴＳパケットの受信間隔時間の代わりに、ＴＳパケットの受信間隔時間の取得開始から取得終了までに取得された全てのＴＳパケットについて、ＴＳパケットのアダプテーションフィールドに含まれているＰＣＲとそのＴＳパケットの到達時刻のずれの値を棒グラフで表示するようにしてもよい。
つまり、表示エリア３１５に、監視対象のＴＳ番号７のＴＳにおける任意の期間（ＴＳパケットの受信間隔時間の取得開始から取得終了まで）に含まれるＴＳパケットのアダプテーションフィールドに含まれているＰＣＲとそのＴＳパケットの到達時刻のずれの値の度数分布を表示させる。
【０１４８】
このようにすれば、運用管理者は、表示エリア３１５の表示内容（監視対象のＴＳにおける任意の期間に含まれるＴＳパケットのアダプテーションフィールドに含まれているＰＣＲとそのＴＳパケットの到達時刻のずれの値の度数分布）に基づいて、カーソル３１７の位置を変更することでＰＣＲジッタエラーの設定範囲しきい値を再設定することが可能になり、ＰＣＲジッタエラーの設定範囲しきい値の最適化を容易にできる。
【０１４９】
［１１］
図６に示す表示画面８１ａの各表示枠１３０，１４０に、表示方法選択エリア１１０の各ボタン１１１〜１１６（ＬＯＧ表示ボタン１１１、インジケータ表示ボタン１１２、ＰＩＤ参照表示ボタン１１３、履歴グラフ表示ボタン１１４、帯域グラフ表示ボタン１１５、設定表示ボタン１１６）で指示選択された表示方法を組み合わせて表示することができる。
【０１５０】
つまり、本実施形態では、各表示枠１３０，１４０に、図７〜図９に示す履歴グラフ、図１０に示す帯域グラフ、図１１に示す設定画面から選択された任意の２つを組み合わせて表示することができる。
従って、本実施形態によれば、運用管理者は、各表示枠１３０，１４０の表示を見比べながらＴＳおよびＴＳパケットの様々な状況確認を行うことができる。
【０１５１】
［１２］
図７〜図９に示す履歴グラフは、エラーフィルタ設定ボタン１７３〜１７５により指示選択された種類のエラー（タイムアウトエラー、連続性指標エラー、ＰＣＲジッターエラー）の発生回数が加算された合計回数が表示される。
そのため、履歴グラフは、エラー発生量全体の周期性を確認する上で便利である。しかし、１つのＴＳは数十〜数百種類のＴＳパケットによって構成されているため、個々のＴＳパケットについて３種類のエラーの発生状況を監視するとなると、監視対象のエラーの種類は延べ数千〜数万種類にも上る。
【０１５２】
この膨大なエラーの延べ種類に対して、個々の種類の周期性を確認するため、運用管理者がエラーフィルタ設定ボタン１７３〜１７５による指示選択を切り替える操作を手作業で行うとなると、その操作には大変な手間がかかる。
そこで、ＴＳパケット監視装置１８が、エラーの種類毎の履歴グラフのデータを高速フーリエ変換（ＦＦＴ：Fast Fourier Transform）を用いて自動的に周期解析（周波数解析）し、その周期解析の結果を各エリア１５８，１５９に表示すれば、運用管理者はエラーの種類毎の周期性を容易に確認できる。
【０１５３】
ちなみに、ＴＳパケットのエラー発生原因としては、例えば、送信システム１０，２０または受信システム３０，４０を構成する各種機器１１〜１７，３１〜３７などの不調、各種機器に供給される電源の不調、テレビジョン番組のスケジューリングの不備、放送の休止タイミングの不具合、天候による電波障害（降雨減衰や雷障害など）などがある。
【０１５４】
そして、エラー発生原因毎にその発生周期が異なる。
例えば、テレビジョン番組のスケジューリングの不備については、番組の切り替えタイミングとして多く設定されている３０分単位でエラーが発生することがある。
また、地上波デジタル放送における休止タイミングの不具合については、毎週放送が休止する月曜日の早朝にエラーが発生することがある。
また、天候による電波障害については、不定期にエラーが発生し、エラーが一旦発生し始めると大量に発生する性質がある。
【０１５５】
そのため、エラーの発生周期を確認することにより、エラーの発生原因を推測可能であり、その発生原因に合わせたエラー発生の防止策を講じることができる。
例えば、天候による電波障害と、その他の原因による周期的なエラーとが同時に発生している場合には、天候による電波障害で大量に発生するエラーに周期的なエラーがマスクされて目立たなくなり、周期的なエラーの発見が遅れることがあるが、エラーの種類毎の周期性を確認すれば、周期的なエラーを速やかに発見して対策を図ることができる。
【０１５６】
図１２（Ａ）は、２つの種類のエラー（例えば、タイムアウトエラーとＰＣＲジッタエラー）の発生回数が加算された合計回数について、１日間を単位間隔として６４日間分の時間履歴を棒グラフで表示した履歴グラフである。
図１２（Ｂ）は、図１２（Ａ）に示す履歴グラフからタイムアウトエラーの発生回数だけを抜き出して表示した履歴グラフであり、タイムアウトエラーの発生には周期性がない。
図１２（Ｃ）は、図１２（Ａ）に示す履歴グラフからＰＣＲジッタエラーの発生回数だけを抜き出して表示した履歴グラフであり、ＰＣＲジッタエラーの発生には周期性がある。
【０１５７】
図１２（Ａ）に示す履歴グラフから運用管理者が目視により２つの種類のエラーの周期性を確認しようとしても、周期性の判断基準が全く見つからないため、ＰＣＲジッタエラーの発生に周期性があるにも関わらず、運用管理者はそれを確認できない。
また、図１２（Ｃ）に示す履歴グラフから運用管理者が目視によりＰＣＲジッタエラーの周期性を確認しようとしても、周期性の判断基準が不明確であるため、運用管理者は周期性を見落とす可能性が高い。
【０１５８】
図１３（Ａ）は、図１２（Ｂ）に示す履歴グラフのデータを高速フーリエ変換用いて周期解析し、縦軸を正規化してエラー発生回数とし、横軸をエラー発生周期としたグラフである。
図１３（Ｂ）は、図１２（Ｃ）に示す履歴グラフのデータを高速フーリエ変換用いて周期解析し、縦軸を正規化してエラー発生回数とし、横軸をエラー発生周期としたグラフである。
【０１５９】
図１３（Ａ）に示すグラフには特に周期性が認められないため、運用管理者は目視だけでタイムアウトエラーの発生に周期性がないことを容易に確認できる。
それに対して、図１３（Ａ）に示すグラフでは、２．５日、３．５日、７日の３つの周期でエラーが大量に発生していることが認められる。
ここで、３．５日周期は７日周期の第２高調波、２．５日周期は７日周期の第３高調波と考えられるため、ＰＣＲジッタエラーは７日周期で発生していると推測される。
【０１６０】
従って、ＴＳパケット監視装置１８が図１２に示す各履歴グラフから図１３に示す各グラフを自動的に生成して各エリア１５８，１５９に表示すれば、運用管理者はエラーの種類毎の周期性を容易に確認できる。
また、図１３に示す各グラフのデータからＰＣＲジッタエラーは７日周期で発生していることを判断する処理は、コンピュータシステムによる簡単なしきい値処理と比較処理で実行可能であり、その判断処理をＴＳパケット監視装置１８が行い、その判断処理の結果を表示画面８１ａに表示してもよい。
尚、ＴＳパケット監視装置１８は、周期解析の結果、エラーの発生周期として複数の候補が推測された場合には、各候補を並べて表示画面８１ａに表示させることにより、運用管理者の確認を促すようにしてもよい。
【０１６１】
［１３］
図１０に示すように、指定されたＴＳ（この例ではＴＳ番号７）の各チャンネル（この例ではチャンネル２０１〜２０３およびＰＳＩ／ＳＩ）毎の占有帯域がＴＳパケット監視装置１８によって検出され、各ボタン（指定時刻選択ボタン２１０、現在時刻選択ボタン２１１、広域画面の期間設定ボタン２２１）で設定された所定期間（例えば、２時間、２日間、２ヶ月間、１年間など）におけるＴＳの各チャンネル毎の占有帯域が時系列の折れ線グラフで広域表示エリア２０８に一覧表示される。
従って、本実施形態によれば、各システム１０〜４０の運用管理者は、広域表示エリア２０８を一目するだけで所定期間におけるＴＳの各チャンネル毎の占有帯域の変化具合を確認可能であり、ＴＳの各チャンネル毎の占有帯域を確実に監視することができる。
【０１６２】
また、図１０に示す帯域グラフでは、現在時刻選択ボタン２１１で指定された現在の日時（この例では2004年５月２日11:00:00）から、広域画面の期間設定ボタン２２１で指定された期間（この例では２時間）を過去の所定期間として、この所定期間におけるＴＳの各チャンネル毎の占有帯域が時系列の折れ線グラフで広域表示エリア２０８に表示される。
従って、本実施形態によれば、運用管理者は現在の日時から過去の所望の期間におけるＴＳの各チャンネル毎の占有帯域を確認可能であり、その過去の期間を適宜設定することで、ＴＳの各チャンネル毎の占有帯域を確実に把握することができる。
【０１６３】
尚、帯域グラフにおいても、図７および図８に示す履歴グラフと同様に、指定時刻選択ボタン２１０で指定された任意の日時を中心とし、広域画面の期間設定ボタン２２１で指定された期間を前後の所定期間として、この所定期間におけるＴＳの各チャンネル毎の占有帯域が時系列の折れ線グラフで広域表示エリア２０８に表示される（図示略）。
従って、本実施形態によれば、運用管理者は所望の日時を中心とする所望の期間におけるＴＳの各チャンネル毎の占有帯域を確認可能であり、その中心とする日時および前後の期間を適宜設定することで、監視対象のＴＳの各チャンネル毎の占有帯域を確実に把握することができる。
【０１６４】
［１４］
図１０に示すように、円グラフ表示エリア２１４には、日時表示エリア２０６に表示されている任意の日時（この例では2004年５月２日11:00:00）における指定されたＴＳ（この例ではＴＳ番号７）の各チャンネル（この例ではチャンネル２０１〜２０３およびＰＳＩ／ＳＩ）毎の占有帯域が円グラフで表示される。
従って、本実施形態によれば、運用管理者は円グラフ表示エリア２１４を一目するだけで、任意の日時におけるＴＳの各チャンネル毎の占有帯域を監視することができる。
【０１６５】
［１５］
運用管理者が各表示枠１３０，１４０に所望の表示を行うには、図６に示すように、３つの指定条件（第１〜第３指定条件）を設定する必要がある。
第１指定条件は、表示枠選択エリア１００の各ボタン１０１，１０２の操作による表示位置（表示枠１３０，１４０）の指定である。
第２指定条件は、表示方法選択エリア１１０の各ボタン１１１〜１１６の操作による表示方法の指定である。
第３指定条件は、ＴＳ／チャンネル選択エリア１２０の各ボタン１２１〜１２４，１２６，１２７の操作による表示内容（ＴＳ番号およびチャンネル番号）の指定である。
【０１６６】
これら３つの指定条件を設定する際に、運用管理者は第１〜第３指定条件を任意の順序で設定すればよく、第１〜第３指定条件の設定順序は決められていない。例えば、第１指定条件→第２指定条件→第３指定条件の順番で設定してもよく、第１指定条件→第３指定条件→第２指定条件の順番で設定してもよく、第３指定条件→第１指定条件→第２指定条件の順番で設定してもよい。
【０１６７】
そのため、第１〜第３指定条件の設定を変更する際には、変更したい指定条件だけを再設定すればよい。
例えば、ＴＳ番号だけを変更したい場合には、第３指定条件を再設定するだけで、第１指定条件および第２指定条件を再設定する必要がない。また、表示枠１３０，１４０だけを変更したい場合には、第１指定条件を再設定するだけで、第２指定条件および第３指定条件を再設定する必要がない。また、表示方法だけを変更したい場合には、第２指定条件を再設定するだけで、第１指定条件および第３指定条件を再設定する必要がない。
【０１６８】
ちなみに、従来のＧＵＩにより第１〜第３指定条件を再設定する場合には、第１指定条件→第２指定条件→第３指定条件の順番で必ず設定する必要があり、この順番を入れ替えることはできなかった。
そのため、従来のＧＵＩでは、第２指定条件だけをｎ回再設定する場合（ｎは任意の整数）、１〜ｎ回の各回の再設定において第１指定条件→第２指定条件→第３指定条件の順番で設定を行わなければならず、１〜ｎ回の各回毎に第１〜第３指定条件の３つ全てを再設定することから、その総設定回数は３×ｎ回になる。
【０１６９】
それに対して、本実施形態のＧＵＩでは、第２指定条件だけをｎ回再設定する場合（ｎは任意の整数）、１回目のみ第１〜第３指定条件の３つ全てを設定したら、２〜ｎ回の各回毎に第２指定だけを再設定すればよいため、その総設定回数は３＋ｎ−１回になる。
【０１７０】
よって、例えば、第２指定条件だけを１０回再設定する場合（ｎ＝１０）、従来のＧＵＩの総設定回数が３０回（＝３×１０）になるのに対して、本実施形態のＧＵＩの総設定回数は１２回（＝３＋１０−１）になる。
その結果、本実施形態のＧＵＩの総設定回数は従来のＧＵＩのそれの２／５に減少することになる。
【０１７１】
すなわち、本実施形態は、第１指定条件は第２指定条件の上位階層であり、第２指定条件は第３指定条件の上位階層であり、階層構造をとる複数の指定条件を設定して所定表示を行うＧＵＩを用いた表示操作方法において、指定条件の設定順序を階層構造の上下関係によらず任意に設定することができる。
従って、本実施形態によれば、第１〜第３指定条件の少なくともいずれかを再設定する際に運用管理者が行うＧＵＩによる操作の作業効率を向上させることができる。
【０１７２】
特に、第３指定条件のＴＳ番号およびチャンネル番号については、各番号を順番に指定しながら第２指定条件の表示内容を確認したいという要望（第１要望）が運用管理者から提示されている。
それと同時に、第３指定条件で特定のＴＳ番号やチャンネル番号を選択した後に、第２指定条件の様々な表示方法の比較検討をしたいという要望（第２要望）も運用管理者から提示されている。
本実施形態によれば、第１要望に対しては第３指定条件のみを再設定して各番号を順番に指定してゆけばよく、第２要望に対しては第２指定条件のみを再設定して各表示方法を順番に指定してゆけばよいため、運用管理者の作業効率を大幅に向上させることができる。
【０１７３】
［別の実施形態］
ところで、本発明は上記実施形態に限定されるものではなく、以下のように具体化してもよく、その場合でも、上記実施形態と同等もしくはそれ以上の作用・効果を得ることができる。
【０１７４】
＜１＞
上記実施形態では、図５に示すように、ＴＳパケット監視装置１８は、ＲＯＭ７２に記憶されているソフトウェアのコンピュータプログラムをＣＰＵ７１にロードし、そのコンピュータプログラムに従って各種演算処理を実行することにより、ＴＳパケットのエラー発生状況およびＴＳの各チャンネル毎の占有帯域をソフトウェアで検出して監視している。
【０１７５】
しかし、ＴＳパケット監視装置１８内にＦＰＧＡ（Field Programmable Gate Array）を設け、そのＦＰＧＡによりＴＳパケットのエラー発生状況およびＴＳの各チャンネル毎の占有帯域をハードウェアで検出して監視してもよい。
ＦＰＧＡを用いれば、上記実施形態に比べて、ＴＳパケットのエラー発生状況およびＴＳの各チャンネル毎の占有帯域の監視を高速で行うことができる。
また、ＦＰＧＡを専用ＬＳＩ（Large Scale Integration）に置き換えることにより、前記監視を更に高速で行うことができる。
【０１７６】
＜２＞
図７〜図９に示す履歴グラフは棒グラフによって表示されているが、折れ線グラフによって表示するようにしてもよい。
【０１７７】
＜３＞
上記実施形態では、図６に示すように、表示画面８１ａに２つの表示枠１３０，１４０を配置しているが３つ以上の表示枠を配置してもよい。
また、図７〜図９に示すように、履歴グラフに広域表示エリア１５８とズーム表示エリア１５９を配置しているが、ズーム表示エリア１５９を２つ以上配置してもよい。
また、図１０に示すように、帯域グラフに広域表示エリア２０８とズーム表示エリア２０９を配置しているが、ズーム表示エリア２０９を２つ以上配置してもよい。
【０１７８】
＜４＞
図１４は、図７に示した履歴グラフの一部変更例を示す正面図である。
各エラーフィルタ設定ボタン１７３〜１７５の左隣にはそれぞれ、重要度表示ボタン１９１〜１９３が配置されている。
運用管理者がポインタＰで各重要度表示ボタン１９１〜１９３のいずれかを指示選択すると、その指示選択したボタン１９１〜１９３に対応したエラーの種類について、その発生回数の時間履歴を示す棒グラフが色分けして各エリア１５８，１５９に表示される。
【０１７９】
図１４に示す例では、重要度表示ボタン１９１が指示選択され、タイムアウトエラーの発生回数が適宜な色の棒グラフ（図示斜線ρ部分）で表示されている。
このようにすれば、運用管理者は、重要なエラーの種類について、その発生回数をエラー発生量全体と比較して確認できる。
【０１８０】
また、複数の重要度表示ボタン１９１〜１９３が指示選択された場合には、エラーの種類毎に予め設定しておいた色で棒グラフを色分け表示してもよく、例えば、ボタン１９１（タイムアウトエラー）は赤色、ボタン１９２（連続性指標エラー）は青色、ボタン１９３（ＰＣＲジッタエラー）は黄色、といった具合に色分け表示すればよい。
このようにすれば、運用管理者は、エラーの種類毎の発生回数をエラー発生量全体と比較して確認できる。
【０１８１】
＜５＞
上記実施形態において、図１〜図４に示す各例を任意に選択して併用してもよい。
例えば、図１に示すようにＭＵＸ１１のチャンネル１の入力側にＴＳパケット監視装置１８を接続すると共に、図２に示すようにＭＵＸ１１の出力側にＴＳパケット監視装置１８を接続してもよく、このようにすれば、ＭＵＸ１１の不調が原因でエラーが発生した場合に、その原因であるＭＵＸ１１の不調を速やかに発見できる。
【０１８２】
また、図３に示すようにＤＭＵＸ３５の入力側にＴＳパケット監視装置１８を接続すると共に、図４に示すようにＤＭＵＸ３５のチャンネル１の出力側にＴＳパケット監視装置１８を接続してもよく、このようにすれば、ＤＭＵＸ３５の不調が原因でエラーが発生した場合に、その原因であるＤＭＵＸ３５の不調を速やかに発見できる。
そして、これらの場合、２台設けたＴＳパケット監視装置１８の監視結果を表示画面８１ａの各表示枠１３０，１４０に並べて表示させることにより、２台のＴＳパケット監視装置１８の監視結果を運用管理者が比較検討しやすくなる。
【０１８３】
＜６＞
上記実施形態はＴＳパケットに含まれるエラー発生状況およびＴＳの各チャンネル毎の占有帯域の監視に適用したものであるが、ＰＳパケットに含まれるエラー発生状況およびＰＳの各チャンネル毎の占有帯域の監視に適用してもよい。
また、本発明は、ＭＰＥＧ２による圧縮符号化技術を用いたデジタル放送におけるデータ中に含まれるエラーの発生状況を監視するだけでなく、どのような圧縮符号化技術を用いたデータ中に含まれるエラーの発生状況を監視する技術に適用してもよい。
【図面の簡単な説明】
【０１８４】
【図１】本発明を具体化した一実施形態のＴＳパケット監視装置１８を用いた送信システム１０の全体概略構成を示すブロック図。
【図２】ＴＳパケット監視装置１８を用いた送信システム２０の全体概略構成を示すブロック図。
【図３】ＴＳパケット監視装置１８を用いた受信システム３０の全体概略構成を示すブロック図。
【図４】ＴＳパケット監視装置１８を用いた受信システム４０の全体概略構成を示すブロック図。
【図５】ＴＳパケット監視装置１８およびパソコン１９の内部概略構成を示すブロック図。
【図６】パソコン１９の表示装置８１の表示画面８１ａの一例を示す正面図。
【図７】表示枠１３０または表示枠１４０に表示されたエラー発生回数の履歴グラフ。
【図８】表示枠１３０または表示枠１４０に表示されたエラー発生回数の履歴グラフ。
【図９】表示枠１３０または表示枠１４０に表示されたエラー発生回数の履歴グラフ。
【図１０】表示枠１３０または表示枠１４０に表示され各チャンネル毎の占有有帯域グラフ。
【図１１】表示枠１３０または表示枠１４０に表示されたタイムアウトエラーの設定時間しきい値の設定画面。
【図１２】図１２（Ａ）は、２つの種類のエラー（タイムアウトエラーとＰＣＲジッタエラー）の発生回数の合計を表示した履歴グラフ。図１２（Ｂ）は、図１２（Ａ）に示す履歴グラフからタイムアウトエラーの発生回数だけを抜き出して表示した履歴グラフ。図１２（Ｃ）は、図１２（Ａ）に示す履歴グラフからＰＣＲジッタエラーの発生回数だけを抜き出して表示した履歴グラフ。
【図１３】図１３（Ａ）は、図１２（Ｂ）に示す履歴グラフのデータを高速フーリエ変換用いて周期解析し、縦軸を正規化してエラー発生回数とし、横軸をエラー発生周期としたグラフ。図１３（Ｂ）は、図１２（Ｃ）に示す履歴グラフのデータを高速フーリエ変換用いて周期解析し、縦軸を正規化してエラー発生回数とし、横軸をエラー発生周期としたグラフ。
【図１４】図７に示す履歴グラフの一部変更例を示す履歴グラフ。
【符号の説明】
【０１８５】
１０，２０…送信システム
３０，４０…受信システム
１８…ＴＳパケット監視装置
１９…パーソナルコンピュータシステム
８１…表示装置
８１ａ…表示画面
【図１】
2006013612.tif 000003
【図２】
2006013612.tif 000004
【図３】
2006013612.tif 000005
【図４】
2006013612.tif 000006
【図５】
2006013612.tif 000007
【図６】
2006013612.tif 000008
【図７】
2006013612.tif 000009
【図８】
2006013612.tif 000010
【図９】
2006013612.tif 000011
【図１０】
2006013612.tif 000012
【図１１】
2006013612.tif 000013
【図１２】
2006013612.tif 000014
【図１３】
2006013612.tif 000015
【図１４】
2006013612.tif 000016